(57)【特許請求の範囲】
【請求項１】
車両の進行方向に沿って当該車両のフロアパネルの中央に配置されたトンネル部と、
前記トンネル部の車幅方向両側へ広がるフロントフロアと、
前記トンネル部及び前記フロントフロアの後端に形成されるキックアップ部と、
前記キックアップ部の車幅方向に両外側へ回り込むように前記フロントフロアに沿って延びたコーナフロアと、
前記トンネル部の後端から前記キックアップ部につながる部分の上面に接合される上部補強部材と、
前記コーナフロアの上面に接合されるコーナ補強部材と、
前記フロアパネルに配置される配索物を保持する中央フック及びコーナフックと、を備え、
前記中央フックは、前記上部補強部材の一部に一体に形成され、
前記コーナフックは、前記コーナ補強部材の一部に一体に形成される
ことを特徴とする車両フロア構造。
【請求項２】
前記中央フックは、前記上部補強部材を切り起こして形成され、
前記コーナフックは、前記コーナ補強部材を切り起こして形成される
ことを特徴とする請求項１に記載された車両フロア構造。
【請求項３】
前記中央フックの先端は、前記車両の後方に向けられており、
前記コーナフックの先端は、前記車両の前方に向けられている
ことを特徴とする請求項１または請求項２に記載された車両フロア構造。
【発明の詳細な説明】
【技術分野】
【０００１】
本発明は、車室内に配索されるケーブル類を保持する構造を有した車両フロア構造に関する。
【背景技術】
【０００２】
自動車のフューエルリッド及びトランクリッドあるいはバックドアを開放するためのワイヤケーブルや、車室内及び車両後部に設けられる電装用のハーネスケーブルなどのケーブル類は、乗員の邪魔にならないように車室内の隅に沿って配設されることが多い。このとき、車両の進行方向に沿って中央に配置されたフロアトンネルや車幅方向に横切るクロスメンバなどがフロアパネルには形成されているので、ケーブル類はこれらを迂回するように配設される。
【０００３】
ワイヤケーブルの場合、操作性を考慮すると曲げ半径が小さくなり過ぎないようにしなければならない。また、ワイヤケーブルを操作すると、屈曲部でアウタチューブが変形して移動しやすい。ワイヤケーブルを引いたとき又は押したときにアウターチューブが動いてしまうと操作力がうまく伝わらなくなる。したがって、ワイヤケーブルを操作した際にアウタチューブの位置がずれないようにしっかりと固定しておく必要がある。
【０００４】
特許文献１に記載された配索物（ワイヤケーブル）は、リアフロアパネルの側方位置を後方に向かって延在し、クロスメンバ上で車内側に向かって屈曲され、クロスメンバ上に沿って車幅方向に延在し、その先の側方位置で後方に向かって屈曲され、さらに後方へ向かって延在するように設置される。ワイヤケーブルは、合成樹脂製のクリップによって２本並列に保持され、そのクリップがリンホースメント（補強部材）に設けられたクリップ穴に差し込まれる。リアフロアパネルのクッションフロアパンは、クロスメンバを前端に有したシート載置部を形成しており、リンホースメントは、前部がクロスメンバにボルトで固定されるようにこのシート載置部に取り付けられている。
【先行技術文献】
【特許文献】
【０００５】
【特許文献１】特開２００１−３２８５６９号公報
【発明の概要】
【発明が解決しようとする課題】
【０００６】
ところで、特許文献１の場合においてもワイヤケーブルは、クロスメンバに沿うように水平に屈曲されるだけでなく、フロアパネルの位置からクロスメンバの上面の高さまで鉛直方向にも屈曲されなければならない。特許文献１では、車幅方向に配索されたワイヤケーブルの中間部分が、クリップを使って補強部材に固定されているが、クリップを使用する分だけ部品点数が増え嵩張る。
【０００７】
運転席に操作レバーが設置されるフューエルリッドやバックドアあるいはトランクリッドを開放するためのワイヤケーブルは、車室内のフロアパネル上を車体の後部まで配索される。したがって、嵩張ったクリップでは、フロアパネル上にカーペットが敷かれても突出してしまうため、クリップを配置できる範囲が制限されてしまう。足で踏まれやすい位置の近くにクリップが配置されると、繰り返し踏まれてカーペットあるいはクリップそのものが損傷してしまうかもしれない。
【０００８】
また、ワイヤケーブルの配索において、屈曲部の個所を減らすとともに屈曲部の形状を維持することで、安定した操作性を提供できるようになる。そのため、屈曲部をしっかりと保持できなければならない。ワイヤケーブルを嵩張ることなく固定する簡易な手段として、粘着テープで留めることも考えられるが、経年劣化によってずれたり外れたりしてしまうことが予想される。
【０００９】
そこで、本発明は、車室内に設置されるワイヤケーブルを嵩張ることなく固定することができる耐久性に優れた配索構造を有した車両フロア構造を提供する。
【課題を解決するための手段】
【００１０】
本発明に係る一実施形態の車両フロア構造は、車両の進行方向に沿って当該車両のフロアパネルの中央に配置されたトンネル部と、トンネル部の車幅方向両側へ広がるフロントフロアと、トンネル部及びフロントフロアの後端に形成されるキックアップ部と、キックアップ部の車幅方向に両外側へ回り込むようにフロントフロアに沿って延びたコーナフロアと、トンネル部の後端からキックアップ部につながる部分の上面に接合される上部補強部材と、コーナフロアの上面に接合されるコーナ補強部材と、フロアパネルに配置される配索物を保持する中央フック及びコーナフックと、を備えている。
そして、中央フックは、上部補強部材の一部に一体に形成され、コーナフックは、コーナ補強部材の一部に一体に形成されている。
【００１１】
このとき、中央フックは上部補強部材を切り起こして形成され、コーナフックはコーナ補強部材を切り起こして形成される。また、中央フックの先端は、車両の後方に向けられ、コーナフックの先端は、車両の前方に向けられる。
【発明の効果】
【００１２】
本発明に係る一実施形態の車両フロア構造によれば、中央フック及びコーナフックがそれぞれ補強部材の一部に形成され、車内に配置される配索物を保持する。補強部材は、車両フロア構造の一部を構成する部材であり溶接などによって、強固に接合されている。したがって、配索物を保持する構造物として信頼性が高く、耐久性にも優れている。
【００１３】
このとき、上部補強部材を切り起こして中央フックを形成し、コーナ補強部材を切り起こしてコーナフックを形成する発明の車両フロア構造によれば、中央フック及びコーナフックともに構造が簡素であり基部から突出するサイズが小さい。したがって、車内に敷かれるカーペットに対して、乗員に踏まれやすい位置にフックがあっても、フックに起因する損傷を軽減できる。
【００１４】
また、中央フックの先端が車両の後方へ向けられ、コーナフックの先端が車両の前方へ向けられている発明の車両フロア構造によれば、中央フックに対してコーナフックが反対方向に向けられているので、配索物が保持されやすい。特に、中央フックは後方に向けられているので、配索物をキックアップ部に沿わせた状態に維持しやすい。
【図面の簡単な説明】
【００１５】
【図１】本発明に係る一実施形態の車両フロア構造を示す斜視図。
【図２】図１の車両フロア構造のトンネル部の後端側を拡大した斜視図。
【図３】図２中のＦ３−Ｆ３線に沿って断面を示す中央フック近傍の斜視図。
【図４】図２中のＦ４部を拡大したコーナフック近傍の斜視図。
【発明を実施するための形態】
【００１６】
本発明に係る一実施形態の車両フロア構造を有したフロアパネルについて、図１から図４を参照して説明する。図１は、車両フロア構造を有したフロアパネル１の全体を配索物の一例であるケーブル９とともに示す斜視図であり、図２は、ケーブル９が車室Ａを車幅方向に横切るキックアップ部５周辺の斜視図である。このケーブル９は、例えば、給油口のリッド１３を運転室から操作するためのフューエルリッドオープナの操作用ケーブルである。このフロアパネル１は、補強部材として設けられる上部補強部材７およびコーナ補強部材１１の一部にそれぞれフック（中央フック７５及びコーナフック１１５）を備えている。ケーブル９は、これらのフックによって保持される。
【００１７】
さらに具体的に説明する。実施形態の説明の便宜上、車両の進行方向を基準に「前」及び「後ろ」、この車両に乗った乗員から見て「右」及び「左」、重力を基準に「上」及び「下」をそれぞれ定義する。また、車幅方向について「内」および「外」を定義する。
【００１８】
ケーブル９は、運転席の近くから車室Ａ内を通して後方に配置された給油口のリッド１３まで配線される。図１に示す車両は、右ハンドル車であり、リッド１３は、車両の左後部に設けられている。したがって、ケーブル９は、車室Ａ内において右側から左側へ横切らなければならない。本実施形態では、キックアップ部５の位置でトンネル部２を越えて車幅方向へケーブル９が横断している。
【００１９】
フロアパネル１は、図２に示すように、車両の進行方向に沿って配置されたトンネル部２を中央に有している。トンネル部２の両側には、フロントフロア３が広がっている。フロントフロア３は、車幅方向に外側にそれぞれサイドシル３１を有している。また、フロントフロア３の上面にはトンネル部２から車幅方向へサイドシル３１まで左右一対に延びた第１のクロスメンバ３２及び第２のクロスメンバ３３が接合されている。前部座席は、第１のクロスメンバ３２及び第２のクロスメンバ３３を利用して据え付けられる。第１のクロスメンバ３２及び第２のクロスメンバ３３は、サイドシル３１の近傍の端部で凹凸のほとんどない平坦になるように形成されている。ケーブル９は、第１のクロスメンバ３２及び第２のクロスメンバ３３の端部の平坦になった部分をサイドシル３１に沿って配索される。
【００２０】
図１及び図２に示すように、トンネル部２及びフロントフロア３の後端にキックアップ部５が形成されており、後部座席が据え付けられるリアフロア４は、このキックアップ部５から後方へ広がっている。ケーブル９は、図２に示すように、キックアップ部５の前壁５１に沿うようにトンネル部２を越えて配索される。
【００２１】
本実施形態の車両フロア構造によるフロアパネル１は、上部補強部材７およびコーナ補強部材１１を備える。上部補強部材７は、トンネル部２の後端からキックアップ部５につながる部分の上面に接合される。上部補強部材７は、図３に示すように、トンネル部２の上部２１からキックアップ部５の前壁に遷移する範囲に、中央フック７５を有している。図３は、車幅方向に中央フック７５の中心を通る位置で切った断面を示す斜視図である。図３に示すように中央フック７５は、鋼板をプレス成形して作られた上部補強部材７の一部を切り起こして形成されており、先端７６が後方へ向けられている。ケーブル９は、ストランドワイヤ９１とその外側を覆うアウタチューブ９２とを備えている。ケーブル９は、後方から前方に向けて中央フック７５に係止されるとともに、中央フック７５自身の弾性によって上部補強部材７の外表面に押さえつけられる。これにより、ケーブル９のアウタチューブ９２が固定され、ストランドワイヤ９１がアウタチューブ９２の中を自由に移動する。
【００２２】
コーナ補強部材１１は、図２に示すようにキックアップ部５の車幅方向に両外側に回り込むようにフロントフロア３に沿って延びたコーナフロア３４の上面にそれぞれ接合される。なお、コーナフロア３４からリアフロア４につながる側壁５４によってキックアップ横部５５が形成される。本明細書において、フロントフロア３及びキックアップ部５からコーナフロア３４及びキックアップ横部５５につながる部分をコーナ部５０と呼ぶ。
【００２３】
コーナ補強部材１１は、図４に示すように、コーナフック１１５を有している。図４は、コーナ部５０に接合されたコーナ補強部材１１のコーナフック１１５にケーブル９が掛けられた状態を示す。図４において、円に十字を入れた印は、スポット溶接部を表す。コーナフック１１５は、キックアップ部５の前壁５１の端部寄り外側の延長上へ、コーナ補強部材１１の縁から一続きに延びている。すなわち、コーナフック１１５は、キックアップ部５の前壁５１に沿って配置されたケーブル９に交差する位置に設けられ、先端１１６が前方に向かって延びている。コーナフック１１５は、鋼板をプレス成形して作られたコーナ補強部材１１の一部であって、自身の弾性力によって、ケーブル９をフロントフロア３及びコーナフロア３４に押さえつけるように保持する。ケーブル９は、前方から後方に向けてコーナフック１１５に係止される。ケーブル９のアウタチューブ９２がコーナフック１１５によって固定され、ストランドワイヤ９１は、アウタチューブ９２の内部を自由に動く。
【００２４】
本実施形態において運転席から右側のサイドシル３１に沿って配索されたケーブル９は、右後部のコーナフロア３４の手前でキックアップ部５に向かって湾曲されて右側のコーナフック１１５に保持される。中央フック７５及び左側のコーナフック１１５で保持されたケーブル９は、左側のコーナフロア３４の外側に延びたサイドシル３１に沿う方向へ湾曲される。
【００２５】
また、ケーブル９の曲げ半径に組立誤差が生じないように、図２に示すようにコーナフック１１５に引掛けるケーブル９の範囲を示す両側にテープ９３やペイントによる印を施してもよい。
【００２６】
以上のように構成された車両フロア構造によれば、フロアパネル１の一部を構成する補強部材（上部補強部材７及びコーナ補強部材１１）に一体にフック（中央フック７５及びコーナフック１１５）を形成し、配索物であるケーブル９を保持するので、ケーブル９の曲がり部の数が少なく、かつしっかりと固定できる。また、中央フック７５及びコーナフック１１５は、上部補強部材７及びコーナ補強部材１１を切り起こしたり縁から延長して形成されたりしているので、構造が簡単であり、耐久性に優れるだけでなく、嵩張らない。したがって、中央フック７５やコーナフック１１５に被さるように車室Ａ内に敷かれるカーペットに生じる損傷や裂傷を軽減することができる。
【００２７】
また、中央フック７５が後方に向いて居りコーナフック１１５が前方を向いていることで、図２に示すように、車幅方向へ右側から左側へ配索されたケーブル９は、右側のコーナフック１１５で後方へずれないように、中央フック７５で前方へずれないように、左側のコーナフック１１５で後方へずれないように、それぞれ交互に配置されている。したがって、この車両が前方衝突をした場合でも、ケーブル９が前方に投げ出されることを防止できる。
【００２８】
上述の実施形態では、配索物としてフューエルリッドオープナの操作用ケーブルを一例に説明したが、配索物は、車室内に配置される電子部品に接続される配線やそれらを束ねたハーネスであってもよい。車室内側に配置される補強部材の一部を延長または切り起こして作られたフックによってこれら配索物を固定することで、嵩張ることなくしっかりと固定でき、かつ衝突などによって簡単に配索物が外れることもない。
【００２９】
なお、中央フック７５及びコーナフック１１５は、それぞれ複数のフックを含んでいてもよい。例えば、中央フック７５は、先端を後方に向けた第１のフックと、先端を前方に向けた第２のフックを含み、ケーブル９を把持するように並べて配置される。このとき、第２のフックが車幅方向に第１のフックの両側に配置されていてもよいし、第１のフックを第２のフックの両側に配置してもよい。コーナフック１１５も同様に、先端を前方に向けた第３のフックと、先端を後方に向けた第４のフックとを含み、ケーブル９をこれらのフックで把持するように並べて配置される。切り起こされたフックで前後から把持するように保持することで、前後方向、及び車幅方向乃いずれにもケーブル９のアウタチューブ９２を固定することができる。
【符号の説明】
【００３０】
１…（車両フロア構造を有した）フロアパネル、２…トンネル部、３…フロントフロア、３４…コーナフロア、５…キックアップ部、７…上部補強部材、７５…中央フック、７６…先端、９…ケーブル（配索物）、１１…コーナ補強部材、１１５…コーナフック、１１６…先端。
【図１】
0006417842.tif 000002
【図２】
0006417842.tif 000003
【図３】
0006417842.tif 000004
【図４】
0006417842.tif 000005